(57)【特許請求の範囲】
【請求項１】
被験者が体験した周囲照明を測定するためのシステムであり、
周囲照明の強度を測定するように構成され、前記周囲照明の強度に関する情報を搬送する出力信号を発生させる照明センサ、
期間の経過を示すためのタイマー、
個々の期間に、前記出力信号により搬送される、前記周囲照明の強度に関する情報を記憶するための記憶モジュール、及び
前記周囲照明の強度から、前記被験者の概日周期をリセットする効果を表す前記周囲照明のスコアを決定するための照明スコアモジュール
有するシステムにおいて、少なくとも前記照明センサ、前記タイマー及び/又は前記記憶モジュールは、被験者により担持されるように携帯可能なシステム。
【請求項２】
前記システムは、前記被験者が着用可能である請求項１に記載のシステム。
【請求項３】
前記被験者の手足に装着するストラップをさらに有する請求項２に記載のシステムにおいて、前記照明センサ、前記タイマー及び前記記憶モジュールは、前記ストラップに担持されているシステム。
【請求項４】
前記システムは、携帯可能な個人用電子装置に組み込まれている請求項１に記載のシステム。
【請求項５】
前記測定する周囲照明は、２つ以上の波長範囲を有する請求項１に記載のシステム。
【請求項６】
前記２つ以上の波長範囲は、３つの波長範囲を有し、夫々赤色に対応する第１の波長範囲、緑色に対応する第２の波長範囲及び青色に対応する第３の波長範囲を有する請求項５に記載のシステム。
【請求項７】
前記記憶モジュールにより記憶された前記情報は、個々の期間に、前記周囲照明の光子束の決定を可能にする請求項１に記載のシステム。
【請求項８】
前記照明センサは、フォトダイオードのアレイ（ｉ）又は分光光度計（ｉｉ）の一方又は両方を有する請求項１に記載のシステムにおいて、
前記アレイに含まれる前記フォトダイオードは、所与の波長範囲にある周囲照明の強度を測定することが可能である１つ以上のフォトダイオードを有するシステム。
【請求項９】
前記被験者の運動を測定するように構成され、前記被験者の運動に関する情報を搬送する出力信号を発生させる動きセンサをさらに有する請求項１に記載のシステムにおいて、前記記憶モジュールはさらに、個々の期間に、前記動きセンサにより発生した前記出力信号により搬送される、前記被験者の運動に関する情報を記憶するためのシステム。
【請求項１０】
前記動きセンサは、アクチメータ、位置センサ、変位センサ又は加速度計の１つ以上を有する請求項９に記載のシステム。
【請求項１１】
被験者が体験した周囲照明を測定するためのシステムであり、
周囲照明の強度を測定し、前記周囲照明の強度に関する情報を搬送する出力信号を発生させる手段、
期間の経過を決定する手段、
個々の期間に、前記出力信号により搬送される、前記周囲照明の強度に関する情報を記憶する手段、及び
前記周囲照明の強度から、前記被験者の概日周期をリセットする効果を表す前記周囲照明のスコアを決定する手段
を有するシステムにおいて、少なくとも前記照明センサ、前記タイマー及び/又は前記記憶モジュールは、前記被験者により担持されるように携帯可能なシステム。
【請求項１２】
前記被験者が着用可能である請求項１１に記載のシステム。
【請求項１３】
前記被験者の手足に装着するストラップをさらに有する請求項１２に記載のシステムにおいて、前記測定する手段、前記決定する手段及び前記記憶する手段は前記ストラップに担持されているシステム。
【請求項１４】
前記システムは、携帯可能な個人用電子装置に組み込まれている請求項１１に記載のシステム。
【請求項１５】
前記測定する周囲照明は、２つ以上の波長範囲を有する請求項１１に記載のシステム。
【請求項１６】
前記２つ以上の波長範囲は、３つの波長範囲を有し、夫々赤色に対応する第１の波長範囲、緑色に対応する第２の波長範囲及び青色に対応する第３の波長範囲を有する請求項１５に記載のシステム。
【請求項１７】
前記記憶モジュールにより記憶される前記情報は、個々の期間に、前記周囲照明の光子束の決定を可能にする請求項１１に記載のシステム。
【請求項１８】
前記測定する手段は、フォトダイオードのアレイ（ｉ）又は分光光度計（ｉｉ）の一方又は両方を有する請求項１１に記載のシステムにおいて、
前記アレイに含まれる前記フォトダイオードは、所与の波長範囲にある周囲照明の強度を測定することが可能である１つ以上のフォトダイオードを有するシステム。
【請求項１９】
請求項１１に記載のシステムはさらに、
前記被験者の運動を測定し、前記被験者の運動に関する情報を搬送する出力信号を発生させる手段、及び
個々の期間に、前記運動を測定する手段により発生した前記出力信号により搬送される、被験者の運動に関する情報を記憶する手段
を有するシステム。
【請求項２０】
前記運動を測定する手段は、アクチメータ、位置センサ、変位センサ又は加速度計の１つ以上を有する請求項１９に記載のシステム。
【発明の詳細な説明】
【技術分野】
【０００１】
本出願は、35 U.S.C.§119(e)によって2007年6月8日出願の米国仮出願60/942,935から優先権を主張し、この内容は参照することにより本出願に組み込まれる。
【背景技術】
【０００２】
本発明は、被験者の睡眠に関する情報を決定するために、前記被験者の状況及び/又は生理学的機能に関する情報を決定するためのシステム及び方法に関する。
【発明の概要】
【発明が解決しようとする課題】
【０００３】
被験者の状況及び/又は生理学的機能に関する情報を決定するためのシステムは既知である。これらシステムの幾つかは、被験者により携帯可能及び/又は着用可能であり、この被験者が普通の日にずっと測定されることを可能にする装置を含んでいる。しかしながら、従来のシステムは、被験者の概日周期に関する情報の決定の強化を可能にする前記被験者の状況の様々な態様を測定していない。この状況情報は、既知のシステムでは訂正されない固有の誤差を持つ１つ以上のセンサにより測定される。さらに、携帯可能及び/又は着用可能な装置による情報の記憶は、従来のシステムでもよく、非効率である。これは追加の情報を記憶するのにより大きな装置を必要とする。
【課題を解決するための手段】
【０００４】
本発明のある態様は、被験者が体験した周囲照明を測定するように構成されるシステムに関する。ある実施例において、前記システムは、照明センサ、タイマー及び記憶モジュールを有する。前記照明センサは、２つ以上の波長範囲内にある周囲照明の強度に関する情報を搬送する１つ以上の出力信号を発生させることにより、前記２つ以上の波長内にある前記周囲照明の強度を測定するように構成される。前記タイマーは、期間の経過を示すように構成される。前記記憶モジュールは、個々の期間に、前記１つ以上の出力信号により搬送されるように、前記２つ以上の波長範囲内にある前記周囲照明の強度に関する情報を記憶するように構成される。このシステムは被験者により担持されるように携帯可能である。
【０００５】
本発明のもう１つの態様は、被験者が体験した周囲照明を測定する方法に関する。ある実施例において、前記方法は、被験者により担持される照明センサを用いて、２つ以上の波長範囲内にある周囲照明の強度を測定するステップ、期間の経過を決定するステップ、及び個々の期間に、前記２つ以上の波長範囲内にある前記周囲照明の強度に関する情報を記憶するステップ、を有する。
【０００６】
本発明のもう１つの態様は、被験者が体験した周囲照明を測定するように構成されるシステムに関する。ある実施例において、前記システムは、２つ以上の波長範囲内にある周囲照明の強度に関する情報を搬送する１つ以上の出力信号を発生させることにより、前記２つ以上の波長範囲内にある前記周囲照明の強度を測定する手段、期間の経過を決定する手段、及び個々の期間に、前記１つ以上の出力信号により搬送されるように、前記２つ以上の波長範囲内にある前記周囲照明の強度に関する情報を記憶する手段を有する。このシステムは被験者により担持されるように携帯可能である。
【０００７】
本発明のもう１つの態様は、被験者が体験した周囲照明に関する情報を決定するように構成されるシステムに関する。ある実施例において、前記システムは、受信器及び処理器を有する。受信器は、２つ以上の波長範囲内にある前記被験者が体験した周囲照明の強度（ｉ）及び前記被験者が体験した周囲照明の全強度（ｉｉ）に関する情報を受信するように構成される。処理器は、前記２つ以上の波長範囲内にある前記被験者が体験した周囲照明の強度及び前記被験者が体験した周囲照明の全強度に基づく、前記被験者の概日周期をリセットする効果を表す、前記被験者が体験した周囲照明のスコアを決定するように構成される。
【０００８】
本発明のもう１つの態様は、被験者が体験した周囲照明に関する情報を決定する方法に関する。ある実施例において、前記方法は、２つ以上の波長範囲内にある前記被験者が体験した周囲照明の強度に関する情報を得るステップ、前記被験者が体験した周囲照明の全強度に関する情報を得るステップ、及び前記２つ以上の波長範囲内にある前記被験者が体験した前記周囲照明の強度及び前記被験者が体験した前記周囲照明の全強度に基づく、前記被験者の概日周期をリセットする効果を表す、前記被験者が体験した周囲照明のスコアを決定するステップを有する。
【０００９】
本発明のもう１つの態様は、被験者が体験した周囲照明に関する情報を決定するように構成されるシステムに関する。ある実施例において、前記システムは、２つ以上の波長範囲内にある前記被験者が体験した周囲照明の強度に関する情報を得る手段、前記被験者が体験した周囲照明の全強度に関する情報を得る手段、並びに前記２つ以上の波長範囲内にある前記被験者が体験した前記周囲照明の強度及び前記被験者が体験した前記周囲照明の全強度に基づく、前記被験者の概日周期をリセットする効果を表す、前記被験者が体験した周囲照明のスコアを決定する手段を有する。
【００１０】
本発明のもう１つの態様は、被験者の状況及び/又は生理学的機能に関する情報を記憶するように構成されるシステムに関する。ある実施例において、前記システムは、センサ、タイマー、処理器及び記憶モジュールを有する。センサは、パラメタをこのパラメタに関する情報を搬送する１つ以上の出力信号を発生させることにより測定するように構成され、前記パラメタは被験者が体験した周囲条件又は被験者の生理学的機能に関する。タイマーは期間の経過を示すように構成される。処理器は、前記センサにより発生した前記１つ以上の出力信号を受信し、記憶するための個々の期間に対するパラメタの値を決定し、互いに時間に関して近接している一連の期間を急送することにより、前記個々の期間に対するパラメタの決められた値を圧縮するように構成される。これに対し、前記パラメタは、前記一連の期間に対する値及び前記一連の期間における期間数を表す値として類似値にとどまる。前記記憶モジュールは、前記処理器に動作可能なように接続され、この処理器により供給される圧縮された情報を記憶するように構成される。
【００１１】
本発明のもう１つの態様は、被験者の状況及び/又は生理学的機能に関する情報を記憶する方法に関する。ある実施例において、前記方法は、パラメタに関する情報を搬送する１つ以上の出力信号を得るステップであり、ここで前記パラメタは、被験者が体験した周囲条件又は被験者の生理学的機能に関連しているステップ、期間の経過を決定するステップ、記憶するための個々の期間に対する前記パラメタの値を決定するステップ、互いに時間に関して近接している一連の期間を急送することにより、前記個々の期間に対するパラメタの決められた値を圧縮するステップであり、これに対し、前記パラメタは、前記一連の期間に対する値及び前記一連の期間における期間数を表す値として類似値にとどまっているステップ、並びに前記圧縮された情報を記憶するステップを有する。
【００１２】
本発明のもう１つの態様は、被験者の状況及び/又は生理学的機能に関する情報を記憶するように構成されるシステムに関する。ある実施例において、前記システムは、パラメタに関する情報を搬送する１つ以上の出力信号を得る手段であり、ここで前記パラメタは、被験者が体験した周囲条件又は被験者の生理学的機能に関連している手段、期間の経過を決定する手段、前記得られた１つ以上の出力信号に基づいて、記憶するための個々の期間に対するパラメタの値を決定する手段、として類似の値にある、互いに時間に関して近接している一連の期間を急送することにより、前記個々の期間に対するパラメタの決められた値を圧縮する手段であり、これに対し、前記パラメタは、前記一連の期間に対する値及び前記一連の期間における期間数を表す値として類似値にとどまっている手段、並びに前記圧縮する手段に動作可能なように接続された、前記圧縮された情報を記憶する手段を有する。
【００１３】
本発明のもう１つの態様は、第１の照明センサ及び第２の照明センサの波長応答における重複を訂正する方法に関する。ある実施例において、前記方法は、前記第１の照明センサ及び前記第２の照明センサの波長応答にわたり円滑に変化する波長を持つ照明を供給するステップ、前記第１の照明センサの波長応答に対応する透過関数を持つ第１のフィルタを用いて前記供給された照明をフィルタリングするステップ、前記第１のフィルタによりフィルタリングされた前記照明の全放射照度を測定するステップ、前記第２の照明センサの波長応答に対応する透過関数を持つ第２のフィルタを用いて前記供給された照明をフィルタリングするステップ、前記第２のフィルタによりフィルタリングされた前記照明の全放射照度を測定するステップ、前記第１及び第２のフィルタを両方用いて前記供給された照明をフィルタリングするステップ、前記第１及び第２のフィルタによりフィルタリングされた前記照明の全放射照度を測定するステップ、並びに前記測定した放射照度に基づいて、前記第１及び第２の照明センサの波長応答の間における重複の訂正を決定するステップを有する。
【００１４】
本発明のもう１つの実施例は、照明センサの重複する波長応答関数を訂正するように構成されるシステムに関する。ある実施例において、前記システムは、処理器及び記憶モジュールを有する。処理器は、２つ以上の波長範囲内にある周囲照明の強度に関する情報を搬送する１つ以上の出力信号に関する情報を得て、前記２つ以上の波長範囲の個々の範囲内にある前記周囲照明の強度間の１つ以上の比較に基づいて、前記周囲照明を発する照明光源の照明光源形式を決定するように構成される。記憶モジュールは、複数の照明光源形式に対応する訂正を記憶する。前記処理器はさらに、前記１つ以上の出力信号に関する情報から決定される前記照明光源形式に対応する記憶モジュールに記憶される前記訂正を入手し、前記１つ以上の出力信号に関する情報に基づいて、前記２つ以上の波長範囲内にある前記周囲照明の強度を決定するときに前記入手した訂正を実施するように構成される。
【００１５】
本発明のもう１つの態様は、照明センサの重複する波長応答関数を訂正する方法に関する。ある実施例において、前記方法は、２つ以上の波長範囲内にある周囲照明の強度に関する情報を搬送する１つ以上の出力信号に関する情報を得るステップ、前記２つ以上の波長範囲の個々の範囲内にある前記周囲照明の強度間の１つ以上の比較に基づいて、前記周囲照明を発する照明光源の照明光源形式を決定するステップ、複数の照明光源形式に対応する記憶される訂正の組から訂正を入手するステップであり、前記入手した訂正は、前記決定した照明光源形式に対応しているステップ、及び前記１つ以上の出力信号に関する情報に基づいて、前記２つ以上の波長範囲内にある前記周囲照明の強度を決定するときに前記入手した訂正を実施するステップを有する。
【００１６】
本発明のもう１つの態様は、照明センサの重複する波長応答関数を訂正するように構成されるシステムに関する。前記システムは、２つ以上の波長範囲内にある周囲照明の強度に関する情報を搬送する１つ以上の出力信号に関する情報を得る手段、前記２つ以上の波長範囲の個々の範囲内にある前記周囲照明の強度間の１つ以上の比較に基づいて、前記周囲照明を発する照明光源の照明光源形式を決定する手段、複数の照明光源形式に対応する予め記憶された訂正の組から訂正を入手する手段であり、前記入手した訂正は前記決定した照明光源形式に対応している手段、及び前記１つ以上の出力信号に関する情報に基づいて、前記２つ以上の波長範囲内にある前記周囲照明の強度を決定するときに前記入手した訂正を実施する手段を有する。
【００１７】
本発明のこれら及び他の目的、特徴及び特性は、作業の方法、構造物の関連する要素の機能、部品の組み合わせ及び製造効果と同様に、その全てが本明細書の一部を形成する、添付の図面を参照して以下の記述及び付随する請求項を考慮するとさらに明らかとなり、ここで同様な参照番号は、様々な図面において対応する部品を表している。しかしながら、特に当然のことながら、これら図面は、単に例証及び説明を目的とするだけで、本発明の範囲の定義として意図されない。明細書及び請求項に用いられるように、複数で表現していないことも、文脈が別段の明らかな指図がない限り、それが複数あることも含んでいる。
【図面の簡単な説明】
【００１８】
【図１】本発明のある実施例による、被験者の状況及び/又は生理学的機能に関する情報を決定するように構成されるシステムを説明する。
【図２】本発明のある実施例による、被験者の状況及び/又は生理学的機能に関する情報を決定するように構成されるシステムの構成要素を説明する。
【図３】本発明にある実施例による、近接センサを説明する。
【図４】本発明のある実施例による、電源モジュールを説明する。
【図５】本発明のある実施例による、ユーザが体験した周囲照明を測定する方法を説明する。
【図６】本発明のある実施例による、ユーザの状況及び/又は生理学的機能に関する情報を圧縮する方法を説明する。
【図７】本発明のある実施例による、ユーザの概日周期をリセットする効果を表す周囲照明のスコアを決定する方法を説明する。
【図８】本発明のある実施例による、波長応答関数の組を説明する。
【図９】本発明のある実施例による、照明センサの波長応答関数の重複の訂正を決定する方法を説明する。
【図１０】本発明のある実施例による、照明センサの重複する波長応答関数を訂正する方法を説明する。
【図１１】本発明のある実施例による、前記周囲照明を発する照明光源の照明光源形式を決定するために、２つ以上の波長範囲内にある周囲照明の強度を比較する方法を説明する。
【発明を実施するための形態】
【００１９】
図１は、被験者１２の状況及び/又は生理学的機能に関する情報を決定するように構成されるシステム１０のある実施例の概略図である。特に、システム１０により決定される情報は、被験者の睡眠周期及び/又は概日周期に関する。例えばある実施例において、システム１０は、被験者１２の身体運動、被験者１２が体験した周囲照明及び/又は被験者１２の状況及び/又は生理学的機能に関する他の情報に関する情報を決定してもよい。ある実施例において、システム１０は、センサ１４、タイマー１６、ユーザインターフェース１８、電源モジュール２０、記憶モジュール２２及び処理器２４を含んでいる。幾つかの実施において、システム１０はさらに、通信システム２６の構成要素（例えばセンサ１４、タイマー１６、ユーザインターフェース１８、電源モジュール２０、記憶モジュール２２、処理器２４等）の間に及び/又は互いに離れて置かれているシステム１０の構成要素のサブ構成要素の間に動作通信(operative communication)を可能にする通信システム２６を含んでいる。
【００２０】
センサ１４は、被験者１２の１つ以上の生理学的機能及び/又は被験者１２が体験した１つ以上の周囲条件を測定するように構成される。ある実施例において、センサ１４はさらに、センサ１４により発生した情報が正確であることを保証するために、センサ１４の使用の１つ以上の態様を測定する。特に、センサ１４は，前記１つ以上の生理学的機能、前記１つ以上の周囲条件及び/又は前記センサ１４の使用の１つ以上の態様に関する情報を搬送する１つ以上の出力信号を発生させる１つ以上のセンサ装置を含む。例えば、ある実施例において、センサ１４は、動きセンサ２８、照明センサ３０及び近接センサ３２を含む。当然のことながら、センサ１４に含まれる前記センサ装置のこのリストが限定するつもりではなく、センサ１４は、他のセンサ装置と一緒に及び/又はリストにあるセンサ装置の全てを持たずに含まれてもよい。さらに、センサ１４は、前記含まれるセンサ装置（センサ２８、３０及び３２）をシステム１０の単一の単品要素に組み合わせているように、図１に示されていたとしても、これは単に説明を目的としただけである。センサ装置２８、３０及び３２は互いに離れて置かれてよいし及び/又はシステム１０内にあるそれら機能を実行するときに互いに区別して機能してもよい。
【００２１】
動きセンサ２８は、被験者１２の運動に関する情報を搬送する出力信号を発生させることにより被験者１２の運動を測定するように構成される。さらに以下に（例えば図２に関して）説明されるように、ある実施例において、図１に説明されるシステム１０の部分は、被験者１２により担持されるように携帯可能な装置に設けられ、さらに被験者１２により着用可能であってもよい。この実施例において、動きセンサ２８は、被験者１２と共に動き、被験者１２が持っている動きセンサ２８の動きに関する情報を搬送する出力信号を発生させるために、被験者１２に取り付けられるセンサとして実施されることができる。例えば、動きセンサ２８が被験者１２の手足（例えば被験者１２の手首）に取り付けられ、この手足の運動を測定してもよい。このような実施例において、動きセンサ２８は、アクチメータ(actimeter)、位置センサ、変位センサ、加速度計及び/又は動き及び/又は位置を測定することが可能である他のセンサを含んでもよい。
【００２２】
様々な実施例によれば、動きセンサ２８は、動きの変化（例えば加速）により生じた変形に反応して出力電圧を発生させる圧電センサを含む。このようなある実施例において、前記動きセンサ２８は、例えば自動車のエアバッグのような（通常の身体運動と比較して）かなり過度な動きの変化の検出を必要とする状況に通常は実施される圧電センサの一種を含んでいる。これらセンサは一般的に"ショックセンサ"と呼ばれ、回路基板に直接取り付けられる小型のセラミックパッケージ内に封入される圧電素子を含む。これら素子は、かなり過度な動きの変化を検出するように構成されるので、ショックセンサを圧電素子として含んでいる実施例において、動きセンサ２８は、一般的な人間の運動が正確に測定されるように、適当な感度を供給するように設計される駆動回路をさらに含んでいる。
【００２３】
照明センサ３０は、被験者１２が体験した周囲照明を測定するように構成される。ある実施例において、センサ３０は、２つ以上の波長範囲内にある周囲照明の強度に関する情報を搬送する１つ以上の出力信号を発生させることにより前記２つ以上の波長範囲内にある前記周囲照明の強度を測定する。ある実施例において、前記２つ以上の波長範囲は３つの波長範囲を含んでいる。これら３つの波長範囲は、可視スペクトルにおいて略如何なる色も前記３つの波長範囲からの照明の組み合わせにより示されるように選択される。例えば、これら３つの波長範囲は、赤色に対応する波長範囲、緑色に対応する波長範囲及び青色に対応する波長範囲を含む。
【００２４】
ある実施例において、照明センサ３０は、基板上に配される小型の光学センサ（例えばフォトダイオード）の集積アレイを含んでいる。前記光学センサは、照明がこれら光学センサにより測定される３つの波長範囲に対応する光学センサの組を３つ含んでいる。アドレスラインは前記センサの集合の各々が（別々に又は同時に）稼働する及び読み出されることを可能にする。前記センサの集合の所与の集合が稼働するとき、前記照明センサは、この所与のセンサの集合に対応する波長範囲にある周囲光の放射照度（Ｗ／ｃｍ２）を示す出力信号を出力する。
【００２５】
ある実施例において、照明センサ３０は、照明センサ３０により測定される波長範囲の個々の波長範囲に対応する複数の別個のフォトダイオードを含む。例えば、実装されるこれらフォトダイオードは、ＷＳＰＤ(wavelength-sensitive photodiode)を含む。各ＷＳＰＤは、所与の波長を持つ照明に対する応答を表す波長応答関数を持つ。これらＷＳＰＤは、照明センサ３０に実装される所与のＷＳＰＤの波長応答が測定される前記波長範囲の１つに対応するように選択される。
【００２６】
使用中、ある実施例において、前記ＷＳＰＤは、１つ１つ順番に稼働し、それにより発生した出力信号は、個々の波長範囲にある周囲照明の強度の測定値を提供する。照明センサ３０の出力信号の電圧は、対応する波長範囲にある周囲照明の強度に比例する電流を発生させる稼働したＷＳＰＤを抵抗と結合することにより生じ、この抵抗の両端の電圧が前記出力信号である。
【００２７】
ある実施例において、前記ＷＳＰＤの所与の１つと直列接続された前記抵抗は、選択的に回路に切り替わる及び回路から外れることができる切り替え可能な抵抗の組を有する。これは、（前記所与のＷＳＰＤにより生じた対応する低電流を用いた）低い周囲光強度で、抵抗の負荷が増大することができ、かなり低い光強度で感度を提供する出力信号を発生させるように、前記負荷が変化されることを可能にする。同様に、かなり高い周囲光強度で、前記抵抗の組により与えられる負荷は、この抵抗の負荷が固定された場合に起こる出力信号の飽和状態を避けるために減少することができ、かなり低い光強度で感度を提供するように設計される。
【００２８】
ある実施例において、照明センサ３０は、分光光度計を含んでいる。この分光光度計は、周囲照明の２つ以上の波長範囲の強度に関する情報を搬送する１つ以上の出力信号を供給するように構成される。この照明センサ３０の実施例は、上述した他の実施例よりも一般に大きいサイズである。しかしながら、増大したサイズが実用的である分光光度計の実施は、フォトダイオードのアレイ又は別個のフォトダイオードの実施に関して他の強化を提供する。
【００２９】
近接センサ３２は、センサ１４への被験者１２の近接を測定するように構成される。このセンサ１４への被験者１２の近接は、照明センサ３０により測定される周囲照明が実際に体験した周囲照明であることを保証する。さらに、センサ１４への被験者１２の近接は、被験者１２の運動が動きセンサ２８により正確に測定されていることを保証する。例えば、動きセンサ２８が被験者１２に着用される加速度計又は他の動きセンサを含んでいる実施例において、動きセンサ２８の装着（フィット）が緩い場合、動きセンサ２８の出力信号に完全に反映されない被験者１２の動きが存在する。同様に、動きセンサ２８が被験者１２に緩く装着されている場合、動きセンサ２８は、被験者２８に対して動き（例えば滑る）、このような動きは、被験者１２の運動として動きセンサ２８の出力信号に反映されてしまう。さらに、被験者１２がセンサ１４を自分に触れている状態から取り外してしまった場合、被験者１２の動きは何ひとつ動きセンサ２８の出力信号に反映されない。
【００３０】
図３に関して以下に説明されるある実施例において、近接センサ３２は、センサ１４が被験者１２に近接して置かれているかの判断を可能にするため、被験者１２の解剖学的組織の誘電特性を実装する容量センサを含む。これは、使用中にセンサ１４が被験者１２から取り外されたかを判断することを含み、幾つかの実施例において、センサ１４が被験者１２に不適切に装着していること（例えばその間において相対的な移動を可能にする緩い装着）を検出することを含む。
【００３１】
タイマー１６は、期間の経過を示すように構成される。被験者１２の状況及び/又は生理学的機能を測定するために、この状況及び/又は生理学的機能に関する情報は、ここでは時々エポック(epoch)と呼ばれる別個の期間の組の各々に対し処理及び/又は記録される。例えば被験者１２の概日周期に関する情報を決定するためのシステム１０の実施において、前記期間は、約１秒以上から数分（例えば約５分）までの長さのどこでもよい。さらに、ある実施例において、異なる長さの期間（例えば、３秒の期間の１つの組と１０秒の期間の１つの組と）が同時に決定される。これは、前記状況及び/又は生理学的機能の異なる態様に関する情報が異なる長さの期間に対して測定されることを可能にする（例えば第１の態様は、前記３秒の期間に対して測定され、第２の態様は前記１０秒の期間に対して測定される）。ある実施例において、タイマー１６は、時間の経過を示す電子パルスを供給する集積回路を含む。当然のことながら、タイマー１６が図１において、システム１０の別個の構成要素として説明されていたとしても、ある実施例において、タイマー１６の実際の要素の幾つか又は全てが処理器２４内に一体化して含まれてもよい。
【００３２】
ユーザインターフェース１８は、システム１０と１人以上のユーザ（例えば介護人、研究者、被験者１２等）との間にインターフェースを提供するように構成され、これを介して、ユーザはシステム１０に情報を供給したり、システム１０から情報を受信したりする。これは、データ、結果及び/又は命令並びに集合的に"情報"と呼ばれる如何なる他の通信アイテムが前記ユーザと、センサ１４、タイマー１６、電源モジュール２０、記憶モジュール２２及び/又は処理器２４の１つ以上との間を通信されることを可能にする。ユーザインターフェース１８に加えるのに適した従来のインターフェース装置の実施例は、キーパッド、ボタン、スイッチ、キーボード、ノブ、レバー、表示スクリーン、タッチスクリーン、スピーカ、マイク、表示灯、音声アラーム及びプリンターを含む。ある実施例において、それらの機能が以下に論じられ、ユーザインターフェース１８は、センサ１４と一体化した装置に設けられる１つのインターフェースを含んでいる複数の別個のインターフェース、並びに（例えば、センサ１４及びシステム１０の他の付随する構成要素からの情報が受信されるホストコンピュータにより供給される）センサ１４と一体化した前記装置から取り出された記憶した情報を視聴及び/又は管理するために設けられる別個のインターフェースを実際に含んでいる。
【００３３】
有線又は無線のどちらか一方の他の通信技術は、本発明によりユーザインターフェース１８としても考えられると理解されるべきである。例えば、本発明は、ユーザインターフェース１８が記憶モジュール２２により設けられる脱着可能な記憶インターフェースと一体化されてよいことを考慮している。この実施例において、ユーザがシステム１０の実施をカスタマイズすることを可能にする脱着可能な記憶装置（例えば、スマートカード、フラッシュドライブ、リムーバブルディスク等）からシステム１０に情報がロードされる。ユーザインターフェース１８としてシステム１０と共に使用するのに適した他の例示的な入力装置及び技術は、ＲＳ−２３２ポート、ＲＦリンク、ＩＲリンク、モデム（電話、ケーブル又はその他）を含むが、これらに限定されない。要するに、システム１０と情報を通信する如何なる技術も本発明によりユーザインターフェース１８として考えられる。
【００３４】
電源モジュール２０は、システム１０の他の構成要素の１つ以上に電力を供給するように構成される。ある実施例において、電源モジュール２０は、システム１０の他の構成要素の１つ以上に安定化電力を供給する充電式バッテリーを含む。この実施例において、電源モジュール２０は、この電源モジュール２０が外部電源（例えば壁のソケット、ホストコンピュータ等）と接続したとき、このバッテリーの充電を調節する充電回路を含む。
【００３５】
記憶モジュール２２は、システム１０に電子記憶機能を提供する。記憶モジュール２２は、センサ１４、タイマー１６、ユーザインターフェース１８、処理器２４及び/又は通信システム２６の１つ以上と動作可能なように結合される１つ以上の電子的に読み取り可能な記憶媒体を含む。この動作可能なような結合が図１に説明される。記憶モジュール２２の電子的に読み取り可能な記憶媒体は、システム１０と一体化して（すなわち実質的に取り外し不可能で）供給されるシステム記憶装置、及び例えばポート（例えばＵＳＢポート、ファイヤーワイヤーポート等）若しくはドライブ（例えばディスクドライブ等）を介してシステム１０に脱着可能なように接続可能である脱着可能な記憶装置の一方又は両方を含む。記憶モジュール２２は、光学的に読み取り可能な記憶媒体（例えば光学ディスク等）、磁気的に読み取り可能な記憶媒体（例えば磁気テープ、磁気ハードドライブ、フロッピー（登録商標）ドライブ等）、電荷ベースの記憶媒体（例えばＥＥＰＲＯＭ、ＲＡＭ等）、ソリッドステート記憶媒体（例えばフラッシュドライブ等）及び/又は他の電子的に読み取り可能な記憶媒体の１つ以上を含んでいる。記憶モジュール２２は、ソフトウェアアルゴリズム、センサ１４及び/又はタイマー１６により発生した出力信号に関する情報、処理器２４により決定される情報及び/又はシステム１０が適切に機能することを可能にする他の情報を記憶する。記憶モジュール２２は、システム１０内にある別個の構成要素でもよいし、又は記憶モジュール２２がセンサ１４又は処理器２４の１つ以上と一体化して供給されてもよい。
【００３６】
処理器２４は、システム１０に情報処理機能を提供するように構成される。例えば、処理器２４は、デジタル処理器、アナログ処理器、情報を処理するように設計されたデジタル回路、情報を処理するように設計されたアナログ回路、ステートマシン(state machine)及び/又は情報を電子的に処理するための他の機構の１つ以上を含んでよい。処理器２４が図１に単一の要素として示されたとしても、これは単に説明を目的とするためである。幾つかの実施において、処理器２４が複数の処理ユニットを含んでもよい。これら処理ユニットが同じ装置内に物理的に置かれてもよいし、又は処理器２４が協調して動作する複数の装置の処理機能を表してもよい。例えば、ある実施例において、以下の処理器２４に起因する前記機能は、被験者１２により携帯可能である、またさらに着用可能でもあるように設計される装置にあるセンサ１４に動作可能なように接続される第１の処理器と、センサ１４により発生した出力信号に関する情報を得て、この得られた情報をさらに処理するために、前記携帯可能な装置と少なくとも定期的に通信する第２の処理器とに分類される。この実施例において、処理器２４の前記第２の処理器は、ホストコンピュータにより設けられる処理器を含んでいる。システム１０内にある他の構成要素の外部にある処理器（例えば上述した第２の処理器）は、幾つかの事例において、システム１０にある構成要素と一体化した処理器（例えば上述した第１の処理器）に冗長処理を供給する、及び/又は前記外部の処理器がシステム１０の動作及び/又は被験者１２の概日周期に関する追加の情報を決定するために追加の処理を供給してもよい。
【００３７】
図１に示されるように、ある実施例において、処理器２４は、圧縮モジュール３４、イベントモジュール３６、訂正モジュール３８、睡眠モジュール４０、光子束モジュール４２及び照明スコアモジュール４４を含んでいる。これらモジュール３４、３６、３８、４０、４２及び４４は、ソフトウェア、ハードウェア、ファイヤワイヤ、ソフトウェア、ハードウェア及び/又はファイヤワイヤの何らかの組み合わせ及び/又は別の方法で実施されてもよい。当然のことながら、モジュール３４、３６、３８、４０、４２及び４４は、処理器２４が複数の処理ユニット（例えば携帯可能な装置に置かれる第１の処理器及びこの第１の処理器と少なくとも定期的に通信する第２の処理器）を含んでいる実施において、図１において単一の処理ユニット内に共同設置されているように説明されたとしても、モジュール３４、３６、３８、４０、４２及び４４は、他のモジュールと離れて置かれてもよい。
【００３８】
圧縮モジュール３４は、記憶モジュール２２内に記憶するための情報を圧縮するように構成される。この圧縮は一般的に、システム１０が上述した第１及び第２の処理器を含み、記憶モジュール２２内に情報の記憶を可能にする実施例において実施され、
これは携帯可能な装置にも含まれる一方、情報のサイズを減らす。この情報のサイズを減らすことは、記憶モジュール２２のサイズ（物理的なサイズ及び必要とされる記憶空間の記憶容量の両方）を減らすことを可能にし、これが携帯可能な装置のフォームファクタ(form factor)を向上させ及び/又は記憶モジュール２２から、さらに処理するための第２の処理器へ記憶した情報をダウンロードすることなく、より多くの情報が記憶モジュール２２内に記憶されることを可能にする。
【００３９】
ある実施例において、圧縮モジュール３４は、損失の大きい及び/又は無損失の圧縮を実施する。例えば、センサ１４により発生したアナログ出力信号は、１６ビットのデジタル信号に変換され、この信号は記憶するために圧縮モジュール３４により８ビットに圧縮される。これは、損失の大きい圧縮を有する。もう１つの損失の大きい圧縮は、圧縮モジュール３４がセンサ１４により発生した１つ以上の出力信号のデジタル表現を圧縮するために２を底とする対数を実施する実施例において実施される。もう１つの例として、ある実施例において、圧縮モジュール３４は、（タイマー１６により決定されるような）個々の期間にセンサ１４の出力信号（例えば動き、照明強度等に関する情報を搬送する出力信号）の表現（例えばアナログ値のデジタル表現）を受信し、互いに時間に関し近接している（ｉ）及び前記出力信号の表現が同様の値を持つ（ｉｉ）一連の期間を、前記一連の期間に含まれる期間に対する前記出力信号の表現を表す値（ａ）及び前記一連の期間に含まれる期間の数（ｂ）として表すことにより前記表現を圧縮する。これは、前記一連の期間に対する前記出力信号の表現の値の必須の類似点に依存して、無損失又は殆ど無損失の圧縮を有する。
【００４０】
イベントモジュール３６は、センサ１４により発生した出力信号に基づいて決定される様々なイベントに関する情報を決定するように構成される。例えば、イベントは、近接センサ３２により発生した出力信号に基づいて検出されてもよい。これらイベントは、被験者１２からセンサ１４を取り除く又は（取り除いた後）被験者１２上のセンサ１４の交換を含む。これらイベントは、センサ１４が被験者１２から取り除かれるため、有用ではない情報からセンサ１４により発生した有用な情報を決定するのに使用されるおそれがある。システム１０が簡潔に上述した第１の処理器を備える携帯可能な装置を含むある実施例において、イベントモジュール３６は、センサ１４が被験者１２に正しく取り付けられているかを判断するために、少なくとも部分的に前記携帯可能な装置において実施される。この実施例において、イベントモジュール３６がセンサ１４は正しく取り付けられていないと判断する場合、システム１０は被験者１２に取り付けが正しくないと警告し、取り付けが正しくない間、センサ１４により発生した出力信号に関するフラグ情報は、センサ１４が被験者１２に正しく取り付けられるまで前記携帯可能な装置にある記憶モジュール２２への情報の記憶を中止又は休止し、前記イベントの発生を（例えば時間／日付スタンプにより）記録し及び/又は前記イベントに応答して他の行動をとる。幾つかの例において、イベントモジュール３６は、センサ１４の完全に取り外されたのを検出するだけでなく、センサ１４の正しくない取り付け（例えばセンサ１４と被験者１２との間の緩い装着）も検出し、このことが適切な行動（例えば上述した手続きの何れか）を引き起こす。
【００４１】
ある実施例において、イベントモジュール３６は、システム１０の機能に関する他のイベントに関するイベントを検出する。例えば、イベントモジュール３６は、バッテリー容量に対するイベント（例えば低バッテリー）、メモリ容量に対するイベント(例えばフルメモリ)及び/又はシステム１０の機能に関する他のイベントを決定する。
【００４２】
ある実施例において、イベントモジュール３６は、被験者１２が体験した周囲条件及び/又は被験者１２の生理学的機能に関するイベントを検出する。例えば、これらイベントは、例えば運動、瞑想、うたた寝及び/又は他の活動のような活動の開始及び/又は終了を含んでもよい。
【００４３】
ある実施例において、イベントモジュール３６は、被験者１２がイベントを"スコア"することを可能にする。被験者１２により（例えばユーザインターフェース１８を介して）入力されたスコアは、心の情動状態、身体的な痛みのレベル、疲労及び/又はイベントが発生している被験者１２の状態の他の主観的な態様の兆候を供給する。
【００４４】
訂正モジュール３８は、センサ１４により発生した１つ以上の出力信号に関する情報に訂正を施すように構成される。ある実施例において、照明センサ３０により発生した出力信号から決定される情報に前記訂正が施される。図８及び図９に関して以下にさらに説明されるように、ある実施例において、前記訂正は、照明センサ３０に実装されるフォトダイオードの波長透過関数の間にある重複に対し訂正を行う。照明センサ３０、動きセンサ２８、近接センサ３２及び/又はセンサ１４に含まれる他のセンサにより発生した出力信号に基づいて決定される情報に対する他の訂正は、訂正モジュール３８により決定及び/又は施されることも可能である。
【００４５】
睡眠モジュール４０は、被験者１２の睡眠に関する情報を決定するように構成される。これは、睡眠周期情報、睡眠段階情報、覚醒情報及び/又は活動情報を含む。睡眠モジュール４０は、動きセンサ２８により発生した出力信号に基づいて上記情報を決定する。システム１０がセンサ１４を含んでいる携帯可能な装置を含む実施例において、睡眠モジュール４０は、この携帯可能な装置から情報がダウンロードされる前記第２の処理器により実行される及び/又は前記携帯可能な装置にある前記第１の処理器により実行されてもよい。前記第２の処理器に睡眠モジュール４０を単独で実装することは、前記携帯可能な装置の記憶及び/又は処理要件を減少させ、これにより、もっと魅力的なフォームファクタを持つより小さな装置を可能にする。しかしながら、前記第１の処理器により睡眠モジュールを前記携帯可能な装置に含めることは、睡眠モジュール４０により決定される情報が前記携帯可能な装置に設けられるユーザインターフェース１８を介して被験者１２に直接供給されることを可能にする。
【００４６】
光子束モジュール４２は、周囲照明により被験者１２が体験した光子の束に関する情報を決定するように構成される。光子束モジュール４２は、照明センサ３０により発生した出力信号に基づいてこの情報を決定する。放射照度を光子当りのエネルギーで除算
Φ＝Ｅ／（Ｑ／光子）
することにより光子束が決められ、ここでΦは光子束を表し、Ｅは放射照度を表し、Ｑ／光子は、光子当たりのエネルギーを表す。当然のことながら、この光子当りのエネルギーは波長依存である。スペクトルの所与の部分にある光子束を決定するために、（前記スペクトルの所与の部分にわたる各々の別個の波長に対する放射照度の測定が実用的でないので）このエネルギーに対する何らかの近似が使用されなければならない。この近似は、前記スペクトルの所与の部分内における光子当りの平均エネルギーであり、
0005684565.tif 000002
と計算されることができる。ここでＱｍｅａｎは、光子当りの平均エネルギーを表し、Ｑ（λ）は前記エネルギーを波長の関数として表し、λは波長を表し並びにλ１及びλ２は分析されているスペクトルの部分の範囲を表す。決定した光子当りの平均エネルギーは、光子束を光子当りのエネルギーと決定するために上記数式に代入される。
【００４７】
明らかに、上記近似を用いて分析されているスペクトルの部分がさらに大きくなるにつれて、近似の使用に付いて回る不正確さも大きくなる。照明センサ３０が２つ以上の波長範囲及びある実施例では３つの波長範囲の強度（又は放射照度）に関する情報を供給するので、照明センサ３０により供給される照明の測定値に基づく全光子束の決定は、全ての可視スペクトルに対する放射照度に関する情報を供給する単一センサに基づく決定と比較して強化される。さらに、照明センサ３０により測定される波長範囲内にある照明の強度及び/又は放射照度に関する情報の有用性は、（例えば上に示される数式、関係及び近似を用いて）光子束モジュール４２による個々の波長範囲の各々の中にある前記光子束の決定を可能にする。
【００４８】
照明スコアモジュール４４は、被験者１２の概日周期をリセットする効果を表す、被験者１２が体験した周囲照明のスコアを決定するように構成される。ある実施例において、前記スコアを決定することは、（光子束モジュール４２により決定されるような）照明センサ３０により測定される２つ以上の波長範囲内にある前記照明の光子束の重み付け和を決定することを含んでいる。例えば、照明センサ３０が可視スペクトルの赤色部分に対応する１つの波長範囲、可視スペクトルの緑色部分に対応するもう１つの波長範囲及び可視スペクトルの青色部分に対応するもう１つの波長範囲を測定する実施例において、前記重み付け和は、対応する重み付け係数で乗算されたこれらの波長範囲各々の光子束の合計である。これは、
（２）  Ｓ＝Φｒｅｄ＊φｒｅｄ＋Φｇｒｅｅｎ＊φｇｒｅｅｎ＋Φｂｌｕｅ＊φｂｌｕｅ
と数学的に表されてもよく、ここでΦｒｅｄ、Φｇｒｅｅｎ及びΦｂｌｕｅは、可視スペクトルの赤色、緑色及び青色部分夫々における光子束を表し、φｒｅｄ、φｇｒｅｅｎ及びφｂｌｕｅは、可視スペクトルの赤色、緑色及び青色部分夫々に対する重み付け因子を表し、Ｓは周囲照明のスコアを表す。φｒｅｄ、φｇｒｅｅｎ及びφｂｌｕｅの相対的な大きさは、被験者１２の概日周期をリセットする際の可視スペクトルの赤色、緑色及び青色部分における周囲照明の相対的影響を反映する。
【００４９】
ある実施例において、前記重み付け因子φｒｅｄ、φｇｒｅｅｎ及びφｂｌｕｅはさらに、周囲照明の強度を用いて前記可視スペクトルの様々な部分内における周囲照明の前記相対的影響の変化も反映する。例えば、比較的低い強度で、可視スペクトルの青色部分内における照明の概日周期をリセットする影響は最大となる。前記周囲照明の相対的な強度が増大するにつれて、前記スペクトルの青色部分内における照明の前記相対的影響は、前記スペクトルの緑色部分内における前記照明のリセットする影響に対し減少する。ある実施例において、強度によるこの変化を説明するために、照明スコアモジュール４４は、（照明センサ３０により発生した出力信号に基づいて決定したように）周囲照明の強度の関数として前記重み付け因子φｒｅｄ、φｇｒｅｅｎ及びφｂｌｕｅを決定する。
【００５０】
図２は、携帯可能な装置４６及びドッキング装置４８を含んでいるシステム１０の実施例を説明している。図２に説明される携帯可能な装置４６は、携帯可能な装置（例えば携帯可能な装置４６）内に配される第１の処理器（図２には図示せず）、この第１の処理器から情報を受信する第２の処理器及び/又はさらに処理及び/又は記憶するために前記携帯可能な装置内に配される記憶モジュール（図２には図示せず）を含んでいる上述した携帯可能な装置のある実施例である。図２に説明される実施例において、携帯可能な装置４６は、この携帯可能な装置４６が被験者により着用可能であるように、被験者１２の付属肢に装着されるように構成されるストラップ５０を含む。例えば、携帯可能な装置４６は、従来の腕時計と同様に被験者の手首に着用されてもよい。しかしながら、当然のことながら以下に記載される携帯可能な装置４６の特定の構造が限定するつもりではなく、他の携帯可能な装置が実施されてもよい。例えば、腕時計以外の携帯可能な個人用の電子装置（例えばＰＤＡ、携帯電話、ハンドヘルドコンピュータ等）が（例えば周囲照明を測定するような）携帯可能な装置４６に関してここに論じた機能の幾つか又は全てを供給するように実装されてもよい。
【００５１】
図２に説明される携帯可能な装置４６の実施例において、装置４６のハウジング５２は、前記第１の処理器、前記記憶モジュール及びセンサ１４（図２には図示せず）を収容している。特に、照明センサ３０（図２には図示せず）は、ハウジング５２の面５６上に形成される光学的に透過な窓５４によって周囲照明にアクセスできる。被験者１２が携帯可能な装置４６を着用するので、照明センサ３０は、上述したように、窓５４によって被験者１２が体験した周囲光を受信し、それに応答して１つ以上の出力信号を発生させる。
【００５２】
ある実施例において、ハウジング５２内に配されたセンサ１４はさらに、動きセンサ２８（図２には図示せず）を有する。上述したように、動きセンサ２８は、この動きセンサ２８の位置及び/又は動きに関する情報を搬送する１つ以上の出力信号を発生させ、この情報は、装置４６が被験者１２により着用されているので、被験者１２の身体の動きに対応している。
【００５３】
ある実施例において、センサ１４は、ハウジング５２及び/又はストラップ５０内に配される近接センサ３２（図２には図示せず）を有する。上述したように、近接センサ３２は、被験者１２へのセンサ１４及び携帯可能な装置４６の取り付けに関する情報を搬送する１つ以上の出力信号を発生させる。この情報は、携帯可能な装置４６の使用中に被験者１２が体験する周囲照明及び/又は被験者１２の身体の動きに関する情報の記憶及び/又は処理に実施される。
【００５４】
図２に見られるように、携帯可能な装置４６は、ハウジング５２の面５６上に配される表示スクリーン５８を含んでいる。ある実施例において表示スクリーン５８は、被験者１２に情報を表示する液晶ディスプレイ（ＬＣＤ）を含んでいる。表示スクリーン５８は、図１に関して上述したユーザインターフェース１８の一部を少なくとも形成する。例えば、表示スクリーン５８は、被験者の生理学的機能、被験者の状況及び/又は装置４６の正しい又は間違った機能に関する情報を被験者に知らせる。例えば、表示スクリーン５８は、被験者１２に時刻を表示する時間ディスプレイを提供する。表示スクリーン５８は、装置４６が正しく取り付けられた及び正常に機能していることを被験者１２に示す表示器をさらに含んでいる。ある実施例において、装置４６が被験者１２の状況及び/又は生理学的機能を測定するのに使用される既定の測定期間が終了したとき、表示スクリーン５８は、このことを被験者１２に知らせる。例えば、前記時刻の表示が空になり、これにより前記測定期間が終わったことを被験者１２に知らせる。他の実施例において、この知らせは、もう１つの視覚的表示器及び/又は装置４６により発せられる音声アラームを含んでもよい。
【００５５】
ある実施例において、タイマー１６（図２には図示せず）は、ハウジング５２内に含まれ、装置４６内に配された前記第１の処理器は圧縮モジュールを有する。センサ１４により出力信号が発生するので、これら出力信号から得られる情報は（例えば上述されるように）圧縮され、後で取り出す及び処理するためにハウジング５２内に含まれる記憶モジュールに記憶される。装置４６に含まれる前記第１の処理器はさらに、図１を参照して上述されたようなモジュール３６、３８、４０、４２及び/又は４４の１つ以上を含むことが図１及び図２の両方の上記記述から理解されるべきであるので、この実施例が限定するつもりではない。さらに、当然のことながら、これら追加のモジュールの１つ以上を含んでいる実施例において、前記追加のモジュールにより発生した情報は、装置４６から離れてさらに処理されなくても、表示スクリーン５８を介して被験者１２に直接搬送される。
【００５６】
ドッキング装置４８は、ドッキング部６０において携帯可能な装置４６を収容するように構成される。ドッキング装置４８は、ドッキングステーション４８は、ホスト処理システム（例えばパーソナルコンピュータ）に結合され、前記ドッキング部６０に通信インターフェース６２を含む点で、図１に関して簡潔に上述した通信システム２６の一部を形成し、この通信インターフェース６２は、装置４６のハウジング５２内に含まれる第１の処理器及び/又は記憶モジュールと、ドッキング装置４８が結合される前記ホスト処理システムとの間の通信を可能にする、装置４６に形成される対応する通信インターフェース６４と連動するように構成される。前記装置４６の処理器及び/又は記憶装置と、前記ホスト処理システムとの間において、ホスト処理システムが装置４６から情報を取り出し、この情報をさらに処理するように、情報がやりとりされる。例えば、図１に関して上述したようなモジュール３６、３８、４０、４２及び/又は４４の１つ以上は、前記ホスト処理システムにより形成され、このホスト処理システムのユーザインターフェースは、ユーザ（例えば被験者１２、介護人等）が装置４６から取り出された情報及び/又は前記ホスト処理システムに形成されるモジュール３６、３８、４０、４２及び/又は４４の何れかにより発生した情報にアクセスすることを可能にする。
【００５７】
ある実施例において、通信インターフェース６２及び６４は、光学赤外線信号がドッキング装置４８と携帯可能な装置４６との間で情報をやりとりするように実施されることを可能にする。しかしながら、これが限定するつもりではない。例えば、ある実施例において、通信インターフェース６２及び６４は、有線通信用の電気接点を１つ以上含んでいる。もう１つの実施例において、ドッキング装置４８と携帯可能な装置４６との間の"連動（インターフェース）"は、（例えばＲＦ通信による）無線であり、その間における情報の通信に近接は必須ではない。
【００５８】
図２に示されるようなドッキング装置４８はさらに、ハウジング５２に形成される対応する電源インターフェース６８と連動するように動作する電源インターフェースを含む。装置４６がドッキング装置４８にドッキングしている間、装置４６内に配された電源モジュール２０（図２には図示せず）を充電するために、電源インターフェース６６及び６８を介して、携帯可能な装置４６に電力が供給される。
【００５９】
図３は、センサ１４の近接センサ３２のある実施例の回路図を説明している。示される実施例において、近接センサ３２は、容量センサマルチバイブレータ７０、（前記第２の処理器内にモジュールとして又は別個の処理ユニットとして形成される）比較器７２及び集合的にコンデンサ７４を形成する２つの接点を含む。これら２つの接点は、導電性（例えば金属）であるが、センサ３２が機能するのを可能にするために、被験者１２の皮膚と接するように必ずしも置かれる必要はない。例えば、前記接点は、図２に説明される携帯可能な装置４６のハウジング５２及び/又はストラップ５０内に配される金属素子で形成されてもよい。
【００６０】
図３に戻り、比較器７２の出力がハイ(High)である場合、コンデンサ７４は充電する。比較器７２のマイナス端子の電圧がプラス端子の電圧を上回る場合、比較器７２の出力はロー(Low)になり、コンデンサ７４は放電する。これが再び比較器７２のマイナス端子の電圧をプラス端子の電圧より下に降下させ、これが比較器７２の出力を再びハイにさせ、コンデンサ７４が充電するのを可能にする。この変動の頻度は、前記接点により形成されるコンデンサ７４のキャパシタンスにより部分的に決められる。空気と被験者１２の皮膚への近接との間にあるコンデンサ７４のキャパシタンスが上述した振動の頻度を変化させ、コンデンサ７４の前記接点の被験者１２への近接との予測可能な関係であるように変化するので、これにより被験者１２のセンサ３２への近接の決定を可能にする。この近接の検出は、被験者１２へのセンサ３２（並びにそれと一緒にセンサ１４の他のセンサ３８及び/又は３０）の取り付けの有効性の判断を可能にする。
【００６１】
図４は、電源モジュール２０のバッテリー７６を充電するための電源モジュール２０のある実施例に含まれるバッテリー充電回路の回路図を説明する。電源インターフェース６８において外部電力が前記回路に印加されてもよい。電源インターフェース６８に外部電力が印加されないとき、抵抗７８はこの回路に含まれる２つのＦＥＴスイッチ８０及び８２のゲートをローにさせる。この状態において、スイッチ８０及び８２はオンに切り替わり、バッテリー７６が電源モジュール２０の出力８４に電力を供給することを可能にする。第１のダイオード８６は、漏れ電流が電源インターフェース６８を通り接地するのを阻止する。外部電源が電源インターフェース６８に適用されるとき、スイッチ８０及び８２はオフに切り替わり、従ってバッテリー７６を出力８４から切り離す。電力は、電源インターフェース６８からダイオード８６を介し出力８４に供給される。これはバッテリー７６のバッテリー電圧が回路の最低限度より低くても、電源モジュール２０がシステム１０の構成要素に給電することを可能にする。電力が電源インターフェース６８に印加されている間、回路調整器８８は電源インターフェース６８に印加される電圧及び抵抗９０により設定される電流を持つ電流源となる。この電流源は次いで、ダイオード９２を通りバッテリー７６を充電する。電流調整器８８及びダイオード９２が電圧降下をもたらすので、バッテリー電圧が既定のしきい値に達するまで、電流は単に一定であり、その後、バッテリー電圧が増大するので、充電電流は減少する。これは、簡単な定電圧充電回路に比べ、バッテリーの充電時間を減少させる。
【００６２】
図５は、被験者が体験した周囲照明を測定する方法９４を説明している。方法９４の作業が上述された及び図１から図４に説明されたシステム１０の構成要素に関して以下に論じられていたとしても、当然のことながら、これは単に説明を目的とし、この方法９４が本開示の範囲から外れずに他の構成要素及び/又はシステムを用いて実施されてもよい。
【００６３】
ある実施例において、方法９４は、２つ以上の別個の波長範囲において周囲照明の強度が測定される作業９６を有する。これら２つ以上の別個の波長範囲は、３つの波長範囲を含んでいる。これら２つ以上の波長範囲は、可視スペクトルの赤色部分に対応する第１の波長範囲、可視スペクトルの緑色部分に対応する第２の波長範囲及び可視スペクトルの青色部分に対応する第３の波長範囲を含む。幾つかの例において、作業９６は、上述された並びに図１及び図２に説明された照明センサ３０に類似の照明センサにより実施されてもよい。
【００６４】
作業９８において、被験者の動きが測定される。ある実施例において、作業９８は、上述された及び図１に説明された動きセンサ２８に類似の動きセンサにより行われる。
【００６５】
作業１００において、個々の期間の経過が決定される。ある実施例において、作業１００は、上述された及び図１に説明されたタイマー１６に類似のタイマーにより実行される。
【００６６】
作業１０２において、個々の期間に被験者が体験した周囲照明に関する情報を表す値及び/又は前記個々の期間に被験者の動きに関する情報を表す値が決定される。これら値は、作業９６で決定した被験者が体験した周囲照明に関する情報、作業９８で決定した被験者の動きに関する情報及び/又は作業１００で決定した期間の経過に基づいて決められる。ある実施例において、作業１０２は上述された及び図１に示された処理器２４に類似の処理器により実施される。
【００６７】
作業１０４において、作業１０２で決定した値は、記憶するために圧縮される。ある実施例において、個々の期間に被験者の周囲照明及び/又は動きに関する情報を表す値が受信され、互いに時間的に近接している（ｉ）及び出力信号の表現が略同じ値を持つ（ｉｉ）一連の期間を、この一連の期間に含まれるこれら期間に対する前記出力信号の表現を表す値（ａ）及びこの一連の期間に含まれる期間の数（ｂ）で表すことにより前記表現を圧縮する。作業１０４は、図１に示された及び上述された圧縮モジュール３４に類似の圧縮モジュールにより実施されてもよい。
【００６８】
作業１０６において、作業１０４で圧縮された情報が記憶される。ある実施例において、作業１０４で記憶された情報は、上述された及び図１に説明された記憶モジュール２２に類似の記憶モジュールに記憶される。
【００６９】
図６は、被験者の状況及び/又は生理学的機能に関する情報を圧縮する方法１０８を説明している。ある実施例において、方法１０８は、上述された及び図５に示された方法９４内の作業１０４として実施される。しかしながら、方法１０８は様々な状況内で実施されることができるので、これが限定するつもりではない。
【００７０】
作業１１０において、現在の期間の経過が決定される。作業１２０において、被験者の状況及び/又は生理学的機能に関するパラメタの値が前記現在の期間に対し決定される。例えば、前記パラメタは、周囲照明の強度、被験者の身体の動き及び/又は他の状況又は生理学的情報に関するパラメタを含んでもよい。
【００７１】
作業１１４において、前記現在の期間に対するパラメタの値と、以前の期間に対するパラメタの値との間の差が既定のしきい値を超えるかに関する決定を行う。幾つかの例において、前記既定のしきい値は、前記２つの値の間に実質的同等性を要する。他の例において、大きいしきい値は、現在の期間に対する値と以前の期間に対する値との間に幾らかの変動を可能にするために用いられる。
【００７２】
前記値の間の差が既定のしきい値を超えない場合、方法１０８は、これら値の間の差が既定のしきい値を超えない期間のカウントを１つ増加させる作業１１６に進み、制御は作業１１０及び１１２に戻る。
【００７３】
前記値の間の差が既定のしきい値を超える場合、方法１０８は、作業１１８及び１２０に進む。作業１１８において、以前の期間に対するパラメタの値は、（例えば作業１１６により保持されるような）現在のカウントと共に記憶される。方法１０８が（図５に示される）方法９４内において作業１０４として実施される場合、作業１１８は方法９４の作業１０６として実施される。方法１０８に戻り、作業１２０において、現在の期間の値は、後続する期間と比較するための以前の期間の値として保存され、方法１０８は作業１２２に進む。作業１２２において、（例えば、作業１１６により保持され、作業１１８で記憶される）前記カウントは零にリセットされる。方法１０８は、作業１２２から作業１１０及び１１２に逆戻りする。
【００７４】
図７は、被験者の概日周期をリセットする効果を表す周囲照明のスコアを決定する方法を説明している。ある実施例において、方法１２４は、上述された及び図１に説明された照明スコアモジュール４４により実施される。しかしながら、方法１２４の他の実施も考えられる。
【００７５】
方法１２４は、周囲照明の強度に関する情報が得られる作業１２６を含んでいる。この情報は、周囲照明の個々の波長範囲の強度及び/又は周囲照明の全強度を含んでもよい。ある実施例において、作業１２６は、周囲照明の強度に関する記憶した情報を取り出すことを含んでいる。もう１つの実施例において、作業１２６は、１つ以上の照明センサから情報を直接得ることを有する。
【００７６】
作業１２８において、２つ以上の波長範囲内にある周囲照明の光子束に関する情報は、作業１２６で得られた情報に基づいて決定される。ある実施例において、周囲照明の全光子束は、作業１２６で決めた情報に基づいて作業１３０で決定される。
【００７７】
作業１３２において、重み付け係数は、２つ以上の波長範囲の各々に対し決定される。ある実施例において、前記重み付け係数を決定することは、記憶した定数値にアクセスすることを有する。もう１つの実施例において、前記重み付け係数を決定することは、作業１２６で得られた情報の関数として、これら重み付け係数を決定することを有する。作業１３４において、前記２つ以上の波長範囲に対する重み付け係数は、作業１２８で決めた前記２つ以上の波長範囲の光子束で乗算される。この乗算は、前記２つ以上の波長範囲の各々に対する重み付け値をもたらす。
【００７８】
作業１３６において、周囲照明のスコアは、作業１３４で決めた前記重み付け値を合計することにより決定される。
【００７９】
上述したように、本開示の特徴の１つは、２つ以上の波長範囲内にある周囲照明の測定である。ある実施例において、これは１つ以上のフォトダイオードが測定される２つ以上の波長範囲の１つに対応している（個々に又は一体化したアレイとして形成される）複数のフォトダイオードを用いることを含んでいる。実際に、これは一般的に、異なるフォトダイオードの波長応答関数が幾分の空間的重複を持つフォトダイオードを実装することを含んでいる。例えば、この原理は図８に説明され、可視スペクトルの青色、緑色及び赤色部分内に夫々ある周囲照明を測定するフォトダイオードに対応するサンプルの波長応答関数１３８、１４０及び１４２（波長対換算係数）を示す。当然のことながら、これら波長応答関数のこの記述は、単に説明を目的に提供され、実際に波長応答関数がこのような規則的な形状でなくてもよく及び/又はこれら関数の裾野がより大きな"広がり"を含んでもよい。さらに、示される特定のスペクトル区域（例えば青色、緑色及び赤色）の使用は、異なるスペクトル領域（例えば、シアン、マゼンダ及び黄色）内の照明を測定する他のフォトダイオードの組み合わせが考えられるので、限定するつもりではない。
【００８０】
図８に見られるように、スペクトルの"青色"部分がλ０からλ１に延在していたとしても、フォトダイオードの前記波長応答１３８及び１４０は、これらの境界と正確に一致していない。代わりに、青色のフォトダイオード及び緑色のフォトダイオードの前記波長応答１３８及び１４０は、この青色のフォトダイオードの前記波長応答関数の一部が前記スペクトルの"緑色"部分に入り（例えば＞λ１）、前記緑色のフォトダイオードの波長応答関数１４０の一部が前記スペクトルの"青色"部分に入る（例えば＜λ１）ように重複する。この重複が訂正されない場合、スペクトルの緑色部分の照明は、青色のフォトダイオードによりスペクトルの青色部分に帰属し、スペクトルの青色部分の照明は、それが緑色のフォトダイオードにより検出されるので、スペクトルの緑色部分に帰属する。
【００８１】
この波長応答の重複の実施例は、スペクトルの青色部分に対応するフォトダイオード及びスペクトルの緑色部分に対するフォトダイオードが実施される例に限定されない。スペクトルの近接区域に対応するフォトダイオードが実施される大多数の例において、このような重複は考えられる。しかしながら、この重複は、スペクトルのこれら部分と、フォトダイオードの実際の応答関数との間にある相対的な近接によって幾らか悪化する。例えば実際に、赤色のフォトダイオード及び緑色のフォトダイオードの応答関数の間に通例幾らかの重複が存在している。この重複は、青色及び緑色のフォトダイオード間にある前記重複よりも小さい傾向があり、従ってある実施例では無視されてもよいし又は青色及び緑色のフォトダイオードに対し以下に述べられるように訂正されてもよい。
【００８２】
図９は、波長応答関数１３８及び１４０（又は何れかの他の重複している応答関数）に対応しているフォトダイオードの実施の不正確さを減少する訂正を決定する方法１４４を説明している。作業１４６において、放射が供給される。この供給された放射は、前記重複している波長応答関数にわたり円滑に変化する波長を持つ。例えば、作業１４６は、黒体放射を供給する黒体放射源により行われることができる。
【００８３】
作業１４８において、波長応答関数の第１の関数（例えば図８に示される波長応答関数１３８）に実質的に対応している透過関数を持つ第１のフィルタは、前記供給された放射をフィルタリングするのに使用される。ある実施例において、前記第１のフィルタの透過関数と、前記波長応答関数の前記第１の関数との間における対応は、前記透過関数及び波長応答関数のカットイン(cut in)とカットアウト(cut out)との間における近似の品質を有する。ある実施例において、前記第１のフィルタの透過関数と、前記波長応答関数の第１の関数との間における対応は、透過関数及び波長応答関数のピーク間における近似の品質を有する。ある実施例において、前記第１のフィルタの透過関数と、前記波長応答関数の第１の関数との間における対応は、スペクトルの対応する部分（例えばスペクトルの青色部分）に配される透過関数及び波長応答関数の両方を有する。
【００８４】
方法１４４はさらに、作業１４８で作成されたフィルタリングされた照明の測定値の組が得られる作業１５０、１５２及び１５４の組を含んでいる。これら測定値は連続的に又は並行して得られてよい。作業１５０において、フィルタリングされた照明の全放射照度の測定値が、波長専用ではない照明センサ（例えば光度計）を介して得られる。作業１５２において、青色のフォトダイオードの出力信号（例えば出力電流）が決められる一方、この青色のフォトダイオードは、作業１４８で作成されたフィルタリングされた照明に曝される。作業１５４において、緑色のフォトダイオードの出力信号（例えば出力電流）が決められる一方、この緑色のフォトダイオードは、前記フィルタリングされた照明に曝される。
【００８５】
作業１５６において、作業１４６において放射が供給され、前記波長応答関数の第２の関数（例えば図８に示される波長応答関数１４０）に実質的に対応している透過関数を持つ第２のフィルタは、供給された放射をフィルタリングするのに使用される。ある実施例において、前記第２のフィルタの透過関数と、前記波長応答関数の前記第２の関数との間における対応は、前記透過関数及び波長応答関数のカットインとカットアウトとの間における近似の品質を有する。ある実施例において、前記第２のフィルタの透過関数と、前記波長応答関数の第２の関数との間における対応は、透過関数及び波長応答関数のピーク間における近似の品質を有する。ある実施例において、前記第２のフィルタの透過関数と、前記波長応答関数の第２の関数との間における対応は、前記スペクトルの対応する部分（例えばスペクトルの緑色部分）に配される透過関数及び波長応答関数の両方を有する。
【００８６】
作業１５８、１６０及び１６２の組において、作業１５６で作成されたフィルタリングされた照明の測定値の組が得られる。これら測定値は連続的に又は並行して得られてよい。作業１５８において、フィルタリングされた照明の全放射照度の測定値が、波長専用ではない照明センサを介して得られる。作業１６０において、青色のフォトダイオードの出力信号が決められる一方、この青色のフォトダイオードは、作業１５６で作成されたフィルタリングされた照明に曝される。作業１６２において、緑色のフォトダイオードの出力信号が決められる一方、この緑色のフォトダイオードは、前記フィルタリングされた照明に曝される。
【００８７】
作業１６４において、作業１４６で供給された前記照明は、前記第１及び第２のフィルタの両方を用いてフィルタリングされる。作業１６４で作成されたフィルタリングされた照明の測定値の組は、作業１６６、１６８及び１７０で得られる。再び、これら測定値は連続的に又は並行して行われる。作業１６６において、フィルタリングされた照明の全放射照度の測定値が、波長専用ではない照明センサにより行われる。作業１６８において、青色のフォトダイオードの出力信号が決められる一方、この青色のフォトダイオードの出力信号は、作業１６４で作成されたフィルタリングされた照明に曝される。作業１７０において、緑色のフォトダイオードの出力信号が決められる一方、この緑色のフォトダイオードは前記フィルタリングされた照明に曝される。
【００８８】
図８に戻ってみると、作業１５０で検出した放射照度は、（λ０からλ１の間における）スペクトルの青色部分にある青色フィルタからの照明により生じる放射照度（"εＢＢ"）、及び（λ０からλ１の間における）スペクトルの緑色部分にある青色フィルタからの照明により生じる放射照度（"εＢＧ"）を含んでいる。同様に、作業１５８で検出した放射照度は、スペクトルの緑色部分にある緑色フィルタからの照明により生じる放射照度（"εＧＧ"）、及びスペクトルの青色部分にある緑色フィルタからの照明により生じる放射照度（"εＧＢ"）を含んでいる。作業１６６での放射照度は、緑色フィルタの透過関数のカットイン（"λｌ"）と、青色フィルタの透過関数のカットアウト（"λｈ"）との間に重複する緑色及び青色フィルタの透過関数の部分だけで本質的に生じる放射照度を含んでいる。
【００８９】
図９に戻ってみると、作業１７２において、εＢＢ、εＧＧ、εＢＧ及びεＢＧは、作業１５０、１５８及び１６６で行った測定と、εＢＢ、εＧＧ、εＢＧ及びεＧＢとの間の予め得られた関係に基づいて、作業１５０、１５８及び１６０で行った測定から決定される。これら関係を得るための１つの可能な処理は以下のとおりである。
【００９０】
再び図８を参照すると、前記青色フィルタを用いてフィルタリングされた（例えば、方法１４４の作業１４８）照明の全放射照度（"ＥＢ"）は、
0005684565.tif 000003
と表されることができる。ここで、εＢ（λ）は、青色フィルタによりフィルタリングされた照明の放射照度を波長の関数として表す。同様に、緑色フィルタを用いてフィルタリングされた（例えば、方法１４４の作業１５６）照明の全放射照度（"ＥＧ"）は、
0005684565.tif 000004
と表されることができる。ここで、εＧ（λ）は、緑色フィルタによりフィルタリングされた照明の放射照度を波長の関数として表す。
【００９１】
所与のフィルタに対するスペクトルの何れかの領域に対する放射照度関数（"ε（λ）"）がε（λ）＝Ｗ（λ）Ｆ（λ）と表されることができると仮定し、ここでＷ（λ）はフィルタリングされた白色光の放射照度を波長の関数として表し、Ｆ（λ）は、前記所与のフィルタの透過関数を波長の関数として表すと仮定する場合、方法１４４の作業１６６で得られる放射照度（"ＥＣ"）の測定値は、
0005684565.tif 000005
と表されることができる。ここで、ＦＢ（λ）は、青色フィルタの透過関数を表し、ＦＧ（λ）は、緑色フィルタの透過関数を表す。
【００９２】
（方法１４４の作業１４６で供給される）フィルタリングされる放射照度が略黒体放射であり、ＦＧ（λ）は、λ１とλ２との間にある定数であり、並びにＦＧ（λ）及びＦＢ（λ）はλ１に関して対称であると仮定することにより、数式（５）は、
0005684565.tif 000006
のように簡略化する。ここで、
0005684565.tif 000007
は、λ１とλ２との間における緑色フィルタの平均透過値である。εＢ（λ）を数式（３）から数式（６）に代入することにより、数式は、
0005684565.tif 000008
となる。（注：λｈとλ２の間における数式（３）の積分の部分は零である）、解はλ１に関して対称であると仮定されるので、
0005684565.tif 000009
となる。ここで、
0005684565.tif 000010
は、λｌとλ１との間における青色フィルタの平均透過値である。
【００９３】
数式（８）に表される関係は、帯域外放射照度εＢＧ及びεＧＢを両方のフィルタにより光がフィルタリングされる間に測定（例えば方法１４４の作業１６６で行われる測定）した全放射照度の関数として説明される以下の数式を生じさせる。
0005684565.tif 000011
及び
0005684565.tif 000012
【００９４】
平均放射照度
0005684565.tif 000013
は、実施されるフィルタの仕様から決められる定数値である。
【００９５】
数式（９）及び（１０）は、数式（３）及び（４）の項と組み合わされ、以下のような関係
0005684565.tif 000014
及び
0005684565.tif 000015
を生じさせることができ、これは、
0005684565.tif 000016
及び
0005684565.tif 000017
と表すこともできる。
【００９６】
従って、再び図９に戻ると、ある実施例において、εＢＢ、εＧＧ、εＢＧ及びεＧＢは、作業１７２において、等式（９）、（１０）、（１３）及び（１４）に基づいて、作業１５０、１５８及び１６６で行った測定から決定される。
【００９７】
作業１７４において、作業１７２で行った決定は、作業１５２、１５４、１６０、１６２、１６８及び１７０で行った測定を利用し、青色及び緑色のフォトダイオードの波長応答関数の間にある重複を説明する訂正を決定する。この訂正は、前記青色及び緑色のフォトダイオードの出力電流に基づいて、前記スペクトルの青色及び緑色部分内にある放射照度に対する訂正された値を決めるために使用される係数の組を決定することを含んでいる。これら係数は、数式
0005684565.tif 000018
の解である行列
0005684565.tif 000019
と表されることができる。ここでｉＢは青色のフォトダイオードの出力電流を表し、ｉＧは緑色のフォトダイオードの出力電流を表す。
【００９８】
フォトダイオードの出力電流は、
Ｉ＝Ｒ＊ε
と表されることができると仮定し、ここでＩは出力電流を表し、Ｒはフォトダイオード応答を表し、及びεはこのフォトダイオードにより受信される放射照度を表すと仮定する場合、作業１５２で得られたフィルタリングされた青色の放射照度（"ｉＢＢ"）に応答する青色のフォトダイオードの出力電流は、
0005684565.tif 000020
と表されることができる。
【００９９】
青色のフォトダイオードの応答ＲＢ（λ）がスペクトル範囲（λ０−λ１及びλ１−λ２）の各々にわたり略一定であると仮定すると、数式（１６）の積分は、
0005684565.tif 000021
及び
0005684565.tif 000022
と書かれる。
【０１００】
それ故に、
（１９）  ｉＢＢ＝ＡεＢＢ＋ＢεＢＧ
であり、ここでＡ及びＢは比例定数である。この数式は、スペクトルの青色部分内にある青色フィルタを通過する照明（εＢＢ）及びスペクトルの緑色部分内にある青色フィルタを通過する照明（εＢＧ）による、（作業１５２での）放射照度のｉＢＢへの寄与を表す。同様の技術により、（作業１５４で得られた）青色フィルタによりフィルタリングされた照明（"ｉＧＢ"）に応答する緑色のフォトダイオードの出力電流は、
（２０）  ｉＧＢ＝ΓεＢＢ＋ΔεＢＧ
と表されることができ、ここでΓ及びΔは、比例定数を表す。同様に、（作業１６０で得られた）緑色フィルタによりフィルタリングされた照明（"ｉＢＧ"）に応答する青色のダイオードの出力電流、及び（作業１６２で得られた）緑色フィルタによりフィルタリングされた照明（"ｉＧＧ"）に応答する緑色のダイオードの出力電流は夫々、
（２１）  ｉＢＧ＝ＡεＢＧ＋ＢεＧＧ、及び
（２２）  ｉＧＧ＝ＧεＢＧ＋ＤεＧＧ
と表されることができる。
【０１０１】
まとめると、数式（１９）及び（２０）は、
0005684565.tif 000023
と行列形式で書かれることができ、数式（２１）及び（２２）は、
0005684565.tif 000024
と書かれることができる。
【０１０２】
波長応答関数及び透過関数の重複をλ１に関して略対称であると仮定するので、Ａ＝Ａ、Ｂ＝Ｂ、Γ＝Ｇ及びΔ＝Ｄと仮定することができる。従って、行列式（２３）及び（２４）は、４つの未知数（比例定数Ａ、Ｂ、Γ及びΔ）を用いた４つの連立方程式を生じさせる。これは、前記未知数（比例定数）が決定されることを可能にする。
【０１０３】
数式（２３）及び（２４）に戻ってみると、前記比例定数Ａ、Ｂ、Γ及びΔは現在分からないが、数式（２３）及び（２４）は、電流を放射照度の関数として返す。これら数式は、数式を逆行列することにより、放射照度を電流の関数として提供するように再び書かれることができ、これは、
0005684565.tif 000025
及び
0005684565.tif 000026
を生じさせ、ここで
0005684565.tif 000027
である。
【０１０４】
もちろん、実際の用法では、スペクトルの緑色及び青色部分の照明は、２つの電流しか利用可能でないため、別々にフォトダイオードに到達しない。数式（２５）及び（２６）を組み合わせることにより、作業１７４で決定される訂正を供給する行列式は、
0005684565.tif 000028
であり、ここでα、β、γ及びδは、上に設けられた導出に従って決定される定数である。この訂正は、前記青色のダイオード及び緑色のダイオードの出力電流に適用され、それにより決められる放射照度の精度を高める。
【０１０５】
当然のことながら、方法１４４が単に訂正の組を決める１つの例として意図されること、及び他の方法は、照明センサに含まれる個々のフォトダイオードの波長応答関数の間にある重複に対する訂正を決定するために用いられる。例えば、簡易化した訂正の組は、個々のフォトダイオード（又はダイオードのアレイが実施されている実施例における個々のフォトダイオードの組）の出力信号を適切な比例定数で乗算することにより、前記波長範囲にある照明の強度の決定を可能にする。例えば、上記行列式の形式以外でも、３つのフォトダイオード全てに対する訂正が以下の形式、
（２９ａ）  εＢ＝ρＢｉＢ
（２９ｂ）  εＧ＝ρＧｉＧ、及び
（２９ｃ）  εＲ＝ρＲｉＲ
でもよい。ここでρＢは、スペクトルの青色のフォトダイオード／部分に対する比例定数を表し、ρＧは、スペクトルの緑色のフォトダイオード／部分に対する比例定数を表し、及びρＲは、スペクトルの赤色のフォトダイオード／部分に対する比例定数を表す。このような数式の組は例えば、照明センサの製造時に実験的に集められたデータに基づいて決定されてもよい。
【０１０６】
数式（２８）に表される訂正の導出から明らかであるように、この訂正がどんな形式（例えば数式（２８）、数式（２９ａ）−（２９ｃ）等）をとろうとも、照明光源（例えば数式（２８）の導出における黒体放射源）の本質に関して前記訂正を決定する際に行われる仮定は、前記照明センサが異なる形式の放射源（例えば色付きのＬＥＤ、カラーフィルタリングされた照明等）から放射を受信するとき、所与の訂正により発生する結果を不正確にする。
【０１０７】
図１に戻ってみると、照明センサ３０におけるフォトダイオードの波長関数の間にある重複に対する訂正を決定する際に行われる照明光源に関する仮定により生じる不正確さを説明するために、ある実施例において、記憶モジュール２２は、異なる形式の照明光源に対応する訂正の組を記憶する。この実施例において、訂正モジュール３８は、照明センサ３０により発生した１つ以上の出力信号に基づいて周囲放射を放出している照明光源の形式を決定し、前記決定した形式の照明光源に対応する記憶モジュール２２に記憶される訂正の組から１つの訂正を実施するように構成される。前記照明光源の形式は、例えば白色光源（例えば黒体放射源）、青色光源、緑色光源、赤色光源及び／又は他の光源形式を含んでもよい、
【０１０８】
訂正モジュール２８が照明光源形式を決定し、及び前記対応する訂正を実施する実施例において、訂正モジュール３８は、（例えば、図２に説明される携帯可能な装置４６内にある）センサ１４と実質的に連続的に通信して配される。この実施例において、訂正モジュール３８は、前記周囲放射をリアルタイム又は略リアルタイムで放出している照明光源の照明光源形式を決定し、記憶モジュール２２内に記憶する前に、照明センサ３０により発生した出力信号に前記対応する訂正を実施する。もう１つの実施例において、訂正モジュール３８は、（例えば図２のドッキング装置４８が接続されるホストコンピュータにある）センサ１４から離れた処理器に配され、この離れた処理器にダウンロードされた情報に基づいて前記照明光源の照明光源形式を決定する。
【０１０９】
図１０は、照明センサの重複する波長応答関数を訂正する方法１７８を説明している。方法１７８の作業が上述された及び図１から図４に説明されたシステム１０の構成要素に関して以下に論じられているが、当然のことながら、これは単に説明を目的とするだけであり、方法１７８が本発明の範囲から外れることなく代替の構成要素及び／又はシステムを用いて実施されてもよい。
【０１１０】
作業１８０において、２つ以上の波長範囲内にある周囲照明の強度に関する情報を搬送する１つ以上の出力信号に関する情報が得られる。ある実施例において、前記１つ以上の出力信号は、上述された及び図１に説明された照明センサ３０に類似の照明センサにより発生する。作業１８０において情報を得ることは、出力信号が発生するとき、これら出力信号を受信すること、出力信号が発生するとき、これら出力信号を表す情報を受信すること、前記１つ以上の出力信号を表す記憶された情報にアクセスすること及び／又は別の方法で前記情報を得ることを含む。
【０１１１】
作業１８２において、周囲照明を放出している照明光源の照明光源形式は、前記２つ以上の波長範囲の個々の範囲内にある周囲照明の強度間における１つ以上の比較に基づいて決定される。ある実施例において、作業１８２は、図１に説明された及び上述された訂正モジュール３８に類似の訂正モジュールにより行われる。
【０１１２】
作業１８４において、複数の照明光源形式に対応する記憶された訂正の組から１つの訂正がアクセスされる。このアクセスされた訂正は、決定した照明光源形式に対応している。ある実施例において、前記記憶された訂正の組は、図１に説明された及び上述された記憶モジュール２２に類似の記憶モジュール内に記憶される。作業１８４は、図１に説明された及び上述された訂正モジュール３８に類似の訂正モジュールにより実施される。
【０１１３】
作業１８６において、前記アクセスされた訂正は、作業１８０で得られた１つ以上の出力信号に関する情報に基づいて、２つ以上の波長範囲内にある周囲照明の強度を決定する際に実施される。ある実施例において、作業１８６は、図１に説明された及び上述された処理器１８に類似の処理器により行われる。
【０１１４】
図１１は、周囲照明を放出している照明光源の照明光源形式を決定するために、２つ以上の波長範囲内にある周囲照明の強度を比較する方法１８８を説明している。ある実施例において、方法１８８は、図１０に説明された及び上述された方法１７８における作業１８２として実施されることができる。しかしながら、他の状態における方法１８８の実施も考えられる。例えば方法１８８に関して、本明細書では、前記強度の比較とは、実質的に強度に関連する入射照明（例えば放射照度、照明等）の如何なる測定値の比較に言及している。
【０１１５】
ある実施例において、前記２つ以上の波長範囲は、（例えばスペクトルの青色部分に対応する）第１の波長範囲、（例えばスペクトルの緑色部分に対応する）第２の波長範囲及び（例えばスペクトルの赤色部分に対応する）第３の波長範囲を含んでいる。前記１つ以上の出力信号は、前記第１の波長範囲に実質的に対応する波長応答関数を用いてセンサにより発生した第１の出力信号、前記第２の波長範囲に実質的に対応する波長応答関数を用いてセンサにより発生した第２の出力信号及び前記第３の波長範囲に実質的に対応する波長応答関数を用いてセンサにより発生した第３の出力信号を含んでいる。
【０１１６】
方法１８８は、前記第１の波長範囲内にある周囲照明の強度と、前記第２の波長範囲内にある周囲照明の強度との間において比較を行う作業１９０を含む。ある実施例において、この比較は、第３の出力信号及び第１の出力信号の大きさの比（例えばｉＲ／ｉＢ）を決定することを含む。この決定した比は次いで、作業１９２において既定値と比較される。作業１８８で決定した比が既定値よりも大きいと判断される場合、照明光源は作業１９４において第３の波長範囲内にある照明（例えば赤色光源）を主に放出する形式であると判断される。
【０１１７】
作業１９２において、作業１８８で決定した比が既定値よりも小さい場合、方法１８８は作業１９６へ進む。作業１９６において、第１の波長範囲内にある周囲照明の強度と、第２の波長範囲内にある周囲照明の強度との間において比較が行われる。ある実施例において、この比較は、第１の出力信号の大きさが第２の出力信号の大きさよりも大きい（例えばｉＢ＞ｉＧ）かどうかを決めることである。前記第１の出力信号の大きさが前記第２の出力信号の大きさよりも大きい場合、前記第１及び第２の波長範囲内にある周囲照明の強度間において行われる第２の比較が作業１９８で行われる。作業１９８で行われるこの比較は、第１の出力信号の大きさと第２の出力信号の大きさとの比（例えばｉＢ／ｉＧ）を決定することを含む。この決定した比は次いで、作業２００においてもう１つの既定値と比較される。
【０１１８】
作業１９８で決定した比が作業２００において前記既定値よりも大きいと判断される場合、前記周囲照明を放出している照明光源の照明光源形式は、作業２０２において第１の波長範囲内にある照明（例えば青色光源）を主に放出する形式であると判断される。作業１９８で決定した比が作業２００において前記既定値よりも小さいと判断される場合、前記周囲照明光源は、作業２０４において第１、第２及び第３の波長範囲の各々にわたる相対的一様性を持つ照明（例えば白色光源）を放出する形式であると判断される。
【０１１９】
作業１９６において、第１の出力信号の大きさが第２の出力信号の大きさよりも小さい（ｉＢ／ｉＧ）と判断される場合、方法１４４は作業２０６に進み、前記第１の波長範囲内にある周囲照明の強度と、第２の波長範囲内にある周囲照明の強度との間においてさらにもう１つの比較が行われる。ある実施例において、この比較は、第２の出力信号の大きさと、第１の出力信号の大きさとの間における比（例えばｉＧ／ｉＢ）を決定することを含む。この決定した比は次いで、作業２０８においてさらにもう１つの既定値と比較される。
【０１２０】
作業２０６で決定した比が作業２０８において既定値よりも大きいと判断される場合、前記周囲照明を放出している照明光源の照明光源形式は、作業２１０において第２の波長範囲内にある照明（例えば緑色光源）を主に放出する形式であると判断される。作業２０６で決定した比が作業２０８において前記既定値よりも小さいと判断される場合、前記周囲照明光源は、作業２１２において第１、第２及び第３の波長範囲各々にわたる相対的一様性を持つ照明（例えば白色光源）を放出する形式であると判断される。
【０１２１】
本発明は、現在最も実用的で好ましい実施例であると考えられることに基づいて、説明を目的として詳細に記載されているが、このような詳細な記載は、単に説明を目的とするためであり、本発明が開示される実施例に限定されるのではなく、それどころか添付の請求項の意図及び範囲内にある修正及び等価の装置も含むことを目的としていることを理解すべきである。例えば本発明が、可能な程度に、何れかの実施例の１つ以上の特徴が何れかの他の実施例の１つ以上の特徴と組み合わされることを考慮していると理解されるべきである。
【図１】
0005684565.tif 000029
【図２】
0005684565.tif 000030
【図３】
0005684565.tif 000031
【図４】
0005684565.tif 000032
【図５】
0005684565.tif 000033
【図６】
0005684565.tif 000034
【図７】
0005684565.tif 000035
【図８】
0005684565.tif 000036
【図９】
0005684565.tif 000037
【図１０】
0005684565.tif 000038
【図１１】
0005684565.tif 000039